(57)【要約】【課題】従来のベビースリングはレール部と呼ばれる本体両側縁部分や肩当て部分にクッションが入れられたものと入れられていないものとに大別されるが、どちらも容易にクッションを取付けたり取外したりすることはできなかった。【解決手段】レール部分と肩当て部分に開閉できるクッション収納部を設け、それぞれのクッションを任意の位置で自由且つ簡単に着脱できるようにする。【選択図】図１
2006116261.tif 000002
【特許請求の範囲】
【請求項１】
ベビースリングと呼ばれる布製の子守帯の、レール部と呼ばれる本体の両側縁部分及び肩当て部分に、入り口を簡単に開閉できるようにしたクッション収納部を設け、綿等を布で包んで作ったクッションや、クッションの代用となる折りたたんだタオル等を任意の位置において自由且つ簡単に着脱できるようにしたことを特徴とするベビースリング。
【請求項２】
ベビースリングと呼ばれる布製の子守帯の、レール部と呼ばれる本体の両側縁部分に入り口に面ファスナーを取付けて簡単に開閉できるようにしたレール用クッション収納部を設け、綿等を細長い布袋に詰め両端に取付けた面ファスナーで複数個を連結することができる長さの違う複数本のレール用クッションや、クッションの代用となる折りたたんだタオル等を任意の位置において自由且つ簡単に着脱できるようにしたことを特徴とする請求項１記載のベビースリング。
【請求項３】
ベビースリングと呼ばれる布製の子守帯の、肩当て部分に入り口に面ファスナーを取付けて簡単に開閉できるようにした肩用クッション収納部を設け、ポーチ部内において乳幼児の枕として使用することもできる綿などを布で包んで作った肩用クッションや、クッションの代用となる折りたたんだタオル等を自由且つ簡単に着脱できるようにしたことを特徴とする請求項１又は２記載のベビースリング。
【発明の詳細な説明】
【技術分野】
【０００１】この発明は、乳幼児を抱っこまたはおんぶするためのベビースリングと呼ばれる布製の子守帯の形状に関する。
【背景技術】
【０００２】従来のベビースリングと呼ばれる布製の子守帯は、レール部と呼ばれる本体の両側縁部分や装着した時に使用者の肩に当たる肩当て部分に綿等からなるクッションが入れられているもの（例えば特許文献２、特許文献３参照。）と、一部にクッションが入れられているもの（例えば特許文献４参照。）またはどこにもクッションが入れられていないもの（例えば特許文献１参照。）とに大別される。【０００３】
【特許文献１】特開２００３−４７５４２号公報（図１）
【特許文献２】特開２００４−２２２８２８号公報（図１、段落００１４、段落００２１〜段落００２２）
【特許文献３】実開平７−１４９２１号公報（図１、段落００１９〜段落００２２）
【特許文献４】実用新案登録第３１０１０７５号（図３、段落００２２）
【０００４】クッション入りタイプのベビースリングは乳幼児の足や腕を締めつけない、使用者の肩への負担が軽減するなどの利点が挙げられる。しかし夏場は暑い、かさばる、洗濯時に乾きが悪いなどの問題点がある。【０００５】更に、安全に乳幼児を保持するためには、装着時に乳幼児を保持するポーチ部を適正なサイズに調整して使用することが不可欠である。しかし使用者が自分に適した大きさのベビースリングを使用していない時や乳幼児の抱き方によってはポーチ部の大きさを調整する際にレール部に固定されたクッションが邪魔になり、適正なサイズに調整することが出来ないことがあった。またそのために体型の違う複数人でひとつのベビースリングを共有して使用することも難しかった。【０００６】一例として実開平７−１４９２１号公報に記載された考案では、本体両側縁の補強部分と肩に当たる部分にクッションを封入している。しかしどちらのクッションも本体に固定されているため外したい時に容易に取り外すことはできず、また取り外した後で再度取付けることも容易ではない。【０００７】クッションの入っていないタイプのベビースリングは、コンパクトにたためるので携帯性に優れ、夏場もさほど暑さは感じさせない。またポーチ部のサイズ調整もクッション入りタイプのものより広範囲にできるため、体型の違う複数人での共有もしやすい。しかし、クッション入りのものに比べて抱き方によってはポーチ部から外部に出る乳幼児の足や腕などにレール部分が食い込んだり、長時間使用した時に使用者の肩が痛くなるなどの問題点がある。またクッションを取付けたい時に容易に取付けることは出来ない。
【発明の開示】
【発明が解決しようとする課題】
【０００８】以上の技術によれば、クッション入りタイプのベビースリングはクッションが本体に固定されてしまっているため使用者はクッションを容易に取り外すことはできず、抱き方や用途によりクッションを外したい時や、ポーチ部の大きさを調整する際に固定されたクッションが邪魔で適正なサイズにすることができない場合は、縫製箇所を解いてクッションを取り除くか、別のクッションの入っていないタイプやサイズの違うベビースリングを用意しなければならなかった。【０００９】またクッションの入っていないタイプのベビースリングを使用していてクッションを取付けたい時には、レール部分に綿等を包みこんで縫いつけてしまうことも考えられるが縫いつけた綿等を再び取り外すことは容易でないため、本体と乳幼児の間にタオルを挟むなどして一時的にクッションの代用とするか、別のクッション入りタイプのベビースリングを用意しなければならなかった。【００１０】どちらのタイプのベビースリングもクッションを付けたり外したりすることは容易ではなく、抱き方や用途によってクッションの有無を変えたい時は、タイプやサイズの違うベビースリングを複数所持して使い分けなければならなかった。【００１１】そこでこの発明は、使用者が抱き方や用途、好みや体型に合わせてレール部分や肩当て部分のクッションを、任意の位置において自由且つ簡単に着脱することができるベビースリングを提供することを課題とする。
【課題を解決するための手段】
【００１２】以上の課題を解決するために、請求項１の発明はレール部と呼ばれる本体の両側縁部分及び肩当て部分に、入り口を簡単に開閉できるようにしたクッション収納部を設け、綿等を布で包んで作ったクッションやクッションの代用となる折りたたんだタオル等を、任意の位置において自由且つ簡単に着脱できるようにしたことを特徴とするベビースリングである。【００１３】また請求項２の発明は、ベビースリングと呼ばれる布製の子守帯の、レール部と呼ばれる本体の両側縁部分に入り口に面ファスナーを取付けて簡単に開閉できるようにしたレール用クッション収納部を設け、綿等を細長い布袋に詰め両端に取付けた面ファスナーで複数個を連結することができる長さの違う複数本のレール用クッションや、クッションの代用となる折りたたんだタオル等を任意の位置において自由且つ簡単に着脱できるようにしたことを特徴とする請求項１記載のベビースリングである。【００１４】また請求項３の発明は、ベビースリングと呼ばれる布製の子守帯の、肩当て部分に入り口に面ファスナーを取付けて簡単に開閉できるようにした肩用クッション収納部を設け、ポーチ部内において乳幼児の枕として使用することもできる綿等を布で包んで作った肩用クッションや、クッションの代用となる折りたたんだタオル等を自由且つ簡単に着脱できるようにしたことを特徴とする請求項１又は２記載のベビースリングである。
【発明の効果】
【００１５】請求項１〜３の発明によれば、使用者は抱き方や用途、好みや体型に合わせて任意の位置で自由且つ簡単にクッションを着脱することが可能であり、クッション入りタイプとクッションなしタイプのどちらのベビースリングとしても使用できるため、複数のベビースリングを所持する必要がなく、またひとつのベビースリングを体型の違う複数人で共有することも可能である。【００１６】使用者はある一部分や全体など任意の位置にクッションを装着できるので「乳幼児の足に当たる部分のみに入れたい」、「肩当て部分と乳幼児の頭が当たる部分に入れたい」などの細かな使い分け方に対応することができる。【００１７】使用者はポーチ部のサイズを調整する際に適正なサイズに調整できるように、レール用クッションの長さや位置を調整することが可能である。【００１８】クッションを外すことでコンパクトに収納することが出来る。【００１９】クッションが外せることにより本体部分やクッションを個別に洗濯することが可能である。また、取り外して別々に干すことができるので乾く時間も短縮できる。【００２０】使用者は手持ちのタオルなどを折りたたんでクッションの代用とし、それぞれのクッション収納部に入れて使用することが可能である。【００２１】肩用クッションはポーチ部においては乳幼児の枕として使用することができる。
【発明を実施するための最良の形態】
【００２２】以下、本発明の実施形態を図面を用いて説明するが、本発明はこの実施の形態の記載に限定されず、本発明の技術的思想を具現化する種々の変更が加えられ得る。【００２３】図１は本発明のベビースリングの正面図（図１（ａ））、裏面図（図１（ｂ））、側面図（図１（ｃ））である。このベビースリング１は長方形の一枚布と２個の接続用リング３で構成されている。布の長手方向の一端は両側縁から中心に向かって屏風折りされ接続用リング３を保持するように本体側に折り返されて縫いつけられている。本体側に折り返された部分は肩当て部７となり、同時に入り口に面ファスナーを取付けた肩用クッション収納部８を形成している。【００２４】布の他端部を前述の接続用リング３に通して全体を環状にし、袋状になった布部分を広げて乳幼児を保持するポーチ部２を形成する。接続用リング３に通した端部はテール部１０となり、適宜締めたり緩めたりすることでポーチ部２の大きさを調節する。【００２５】レール用クッション６を収納する方法を図２を用いて説明する。ポーチ部２の両端縁部分（レール部４）はポーチ部２に向けて折り返され断続的にポーチ部２に縫いとめられてレール用クッション収納部８を形成している。縫いとめられていない部分の布の先端には面ファスナー１１ａが取付けられている。ポーチ部２の側面には面ファスナー１１ａと一対になる面ファスナー１１ｂが取付けられており、普段はこの面ファスナー同士を接続させることでレール用クッション収納部５を閉じている。（図２（ａ））【００２６】この面ファスナー１１ａ、１１ｂを外してレール用クッション収納部５を開き（図２（ｂ））、レール用クッション６を挿入（図２（ｃ））した後、再び面ファスナー１１ａ、１１ｂを接続させて閉じる。レール用クッション６は長さの違う複数本からなり、使用者の任意によってそれぞれを組み合わせることで全体の長さを変えることができる（図２（ｄ））。【００２７】肩用クッション９の収納方法を図３を用いて説明する。肩当て部７は本体にコの字型に縫い付けられている。この肩当て部７の縫い目の開いた部分に面ファスナー１２ａ、１２ｂを取付けて接続させ、自由に開閉できる肩用クッション収納部８を形成する。この面ファスナー１２ａ、１２ｂを開いて中に肩用クッション９を収納し再び閉じ合わせる。【００２８】図４はレール用クッション６の正面図（図４（ａ））、側面図（図４（ｂ））である。細長い袋状に縫製した布袋の中に綿等１４を詰めて縫い閉じ、長手方向の一端に面ファスナーの凸面（面ファスナー１３ａ）、反対の端には凹面（面ファスナー１３ｂ）を取付ける。同じ構造で長さの違うものを複数本作り、用途などにあわせてそれぞれを単体で使用（図６）、もしくは面ファスナーを利用して任意の長さになるようにそれぞれを組み合わせ連結させて使用する（図７）。【００２９】個々のレール用クッション６の両端に面ファスナー１３ａ、１３ｂを取付ける事により簡単に連結させることができるだけでなく、レール用クッション収納部５内でレール用クッション６がずれたりよれたりすることを防いでいる。【００３０】図５は肩用クッション９の正面図（図５（ａ））、側面図（図５（ｂ））である。布袋の中に綿等１４を詰めて縫い閉じ、中心部分に中の綿等１４がずれないように飾りステッチを施す。肩用クッション９は乳幼児を横抱きする際にポーチ部内において枕として使用することができる。【００３１】本発明の使用方法の例を図６〜図９を用いて説明する。初めに接続用リング３にテール部１０を通して環状にした１を使用者の肩から反対側の脇下に向かってたすき掛けにし、次に袋状に広げたポーチ部２に乳幼児を収納しテール部１０を引いて使用者と乳幼児が密着するように調整する。【００３２】図６はレール用クッション６を単体で使用し、乳幼児を縦抱きにしたものである。【００３３】図７はレール用クッション６を連結させて使用し、乳幼児を横抱きにしたものである。【００３４】図８は肩用クッション９をポーチ部２において横抱きした乳幼児の枕として使用したものである。【００３５】図９は折りたたんだタオル１５をレール用クッション９の代用としてレール用クッション収納部に取付けた一例である。
「実施形態の効果」【００３６】この実施形態によれば、使用者は抱き方や用途、好みや使用者の体型に合わせて任意の位置で自由且つ簡単にクッションを着脱することが可能であり、クッション入りタイプとクッションなしタイプのどちらのベビースリングとしても使用できるため、複数のベビースリングを所持する必要がなく、またひとつのベビースリングを体型の違う複数人で共有することも可能である。【００３７】使用者は任意の位置にクッションを装着できるので「乳幼児の足に当たる部分のみに入れたい」、「肩当て部分と乳幼児の頭が当たる部分に入れたい」などの細かな使い分け方に対応することができる。【００３８】また使用者はポーチ部のサイズを調整する際に適正なサイズに調整できるように、レール用クッションの長さや位置を調整することが可能である。【００３９】クッションを外すことでコンパクトに収納することが出来る。【００４０】クッションが外せることにより本体部分やクッションを個別に洗濯することが可能である。また、取り外して別々に干すことができるので乾く時間も短縮できる。【００４１】使用者は手持ちのタオルなどを折りたたんでクッションの代用とし、クッション収納部に入れて使用することも可能である。【００４２】肩用クッションはポーチ部においては乳幼児の枕として使用することができる。【００４３】クッションを外したクッション収納部にガーゼハンカチやおもちゃなどの小物を収納することも可能である。
「他の実施形態」【００４４】図１の実施形態ではレール用クッション収納部５及び肩用クッション収納部８の開閉部、レール用クッションの連結部分に面ファスナー１１〜１３を使用したが、他の実施形態ではボタンやスナップボタン、ファスナーなどを使用してもよい。【００４５】また図１の実施形態ではポーチ部２の外側にレール用クッション収納部８を設けたが、ポーチ部２の内側に設けても良い。【００４６】図１の実施形態ではレール部４及びレール用クッション収納部８は本体１と一体の一枚布から形成されその部分は布の裏地が見えている状態だが、本体１に使用した布の種類によってはレール用クッション収納部８において裏地が見えることが好ましくない場合もある。その様な場合にはレール部分４に別の布１６を表地が見えるように継ぎ足して、レール用クッション収納部８を形成することで裏地が見えることを防ぐ。（図１０）
【図面の簡単な説明】
【００４７】
【図１】本発明の正面図（ａ）、裏面図（ｂ）、側面図（ｃ）である。
【図２】レール用クッションの収納方法を示す模式図である。
【図３】肩用クッションの収納方法を示す模式図である。
【図４】レール用クッションの正面図（ａ）、側面図（ｂ）である。
【図５】肩用クッションの正面図（ａ）、側面図（ｂ）である。
【図６】本発明の使用例を示した図である。
【図７】本発明の使用例を示した図である。
【図８】本発明の使用例を示した図である。
【図９】本発明の使用例を示した図である。
【図１０】「他の実施形態」のレール部及びレール用クッション収納部の別布の継ぎ足し方法の一例を示す側面図（ａ）、断面図（ｂ）である。
【符号の説明】
【００４８】  １  ベビースリングの本体
２  ポーチ部
３  接続用リング
４  レール部
５  レール用クッション収納部
６  レール用クッション
７  肩当て部
８  肩用クッション収納部
９  肩用クッション
１０  テール部
１１ａ、１１ｂ  面ファスナー
１２ａ、１２ｂ  面ファスナー
１３ａ、１３ｂ  面ファスナー
１４  綿等
１５  タオル
１６  レール部分及びレール用クッション収納部用布
【図１】
2006116261.tif 000003
【図２】
2006116261.tif 000004
【図３】
2006116261.tif 000005
【図４】
2006116261.tif 000006
【図５】
2006116261.tif 000007
【図６】
2006116261.tif 000008
【図７】
2006116261.tif 000009
【図８】
2006116261.tif 000010
【図９】
2006116261.tif 000011
【図１０】
2006116261.tif 000012